(57)【特許請求の範囲】
【請求項１】
複数の脚部を有し且つ該脚部に孔が設けられている金庫を床に固定するための金庫用固定装置であって、
前記金庫の両側の下方に位置して前記床に固定され、前記脚部を覆い隠す一対の側枠材と、
各前記側枠材に設けられ、前記孔に対応して位置する凹所と、
前記一対の側枠材間にこれら側枠材にそれぞれ対向して設けられ、前記脚部を介して前記側枠材に接近可能な一対の移動部と、
前記移動部に設けられ、前記脚部の前記孔を貫挿する突起と、
前記一対の移動部間に設けられ、前記突起を前記凹所に嵌合させるべく前記移動部を前記側枠材へ移動させる移動手段と
を備えることを特徴とする金庫用固定装置。
【請求項２】
前記移動手段は、ジャッキ機構からなることを特徴とする請求項１に記載された金庫用固定装置。
【請求項３】
前記移動手段は、油圧シリンダ装置からなることを特徴とする請求項１に記載された金庫用固定装置。
【請求項４】
前記金庫の正面の下方に位置し、前記一対の側枠材に溶接されて前記脚部を覆い隠す前枠材を備え、該前枠材には、前記脚部に設けられた他の孔を貫挿する貫挿突起が設けられていることを特徴とする請求項１に記載された金庫用固定装置。
【発明の詳細な説明】
【０００１】
【発明の属する技術分野】
本発明は、金庫を床に固定するために用いられる固定装置に関する。
【０００２】
【従来の技術】
金庫の本体の底面には、一般に、四つの脚部が設けられている。この脚部は、本体を容易に運ぶためのキャスターを有している。
また、脚部はキャスターを覆うようなＬ字状の板材を有している。この板材には、ネジを貫挿させる孔が設けられている。
このような金庫は、例えば部屋の隅に置いて床に固定される。
【０００３】
従来、金庫を床に固定するためには、予め床に固定される四角形の枠体が利用されている。
この枠体の側壁には、ネジ孔がそれぞれ設けられている。
この枠体内に金庫を配置すると、金庫の脚部が枠体によって覆い隠される。この状態で、ボルトを枠体のネジ孔に螺入して脚部の孔を貫挿させることにより、金庫の脚部が枠体に固定される。これにより、金庫が枠体を介して床に固定される。
【０００４】
【発明が解決しようとする課題】
しかし、従来では、ボルトを用いる固定方式であるため、金庫を狭い空間に配置する場合ボルトの締め付け作業が面倒で、多大な時間が掛かってしまう問題があった。
また、ボルトを固定手段として用いると、ボルト位置が外観上明らかとなるので、その取り外しや切断などが簡単に行われてしまう。このため、金庫が短時間で容易に盗み出されてしまう問題が有った。
【０００５】
【課題を解決するための手段】
本発明は、以上の点を解決するために、次の構成を採用する。
〈構成〉
本発明に係る金庫用固定装置は、複数の脚部を有し且つ該脚部に孔が設けられている金庫を床に固定するための金庫用固定装置であって、金庫の両側の下方に位置して床に固定され、脚部を覆い隠す一対の側枠材と、各側枠材に設けられ、脚部の孔に対応して位置する凹所と、一対の側枠材間にこれら側枠材にそれぞれ対向して設けられ、脚部を介して側枠材に接近及び離間可能な一対の移動部と、移動部に設けられ、脚部の孔を貫挿する突起と、一対の移動部間に設けられ、突起を凹所に嵌合させるべく移動部を側枠材へ移動させる移動手段とを備えることを特徴とする。
【０００６】
〈作用〉
本発明に係る金庫用固定装置では、移動部が移動手段によって脚部を介して側枠材に接近するように移動されると、移動部の突起が脚部の孔を貫挿しながら側枠材の凹所に嵌合するので、脚部は側枠材に固定される。
このように、移動手段を動作させて移動部を移動するだけで、金庫の各脚部を確実に側枠材に固定することができるので、金庫を狭い空間に置いても簡便な作業で確実に固定することができる。
また、移動部及び移動手段などが両側枠材間に設けられているので、外観上固定方式が知られることがなく、金庫の取り外しを困難にすることが可能である。従って、金庫が盗み出される前に、例えば警備員が警報を受けてから現場まで駆け付けることができる。
【０００７】
上記移動手段として、ジャッキ機構や、油圧シリンダ装置等を用いることができる。
【０００８】
金庫用固定装置において、更に、金庫の正面の下方に位置し、一対の側枠材に溶接されて脚部を覆い隠す前枠材を備え、該前枠材に脚部に設けられた他の孔を貫挿する貫挿突起を設けることができる。
【０００９】
【発明の実施の形態】
以下、本発明を図示の実施の形態について、詳細に説明する。
〈実施例〉
図１は、本発明に係る金庫用固定装置を示す平面図である。
本発明に係る金庫用固定装置１０は、図１に示されているように、金庫を収容する特別の収容凹部１５の床２０に配置されている。金庫用固定装置１０は、四角形の底板１８と、該底板１８の縁部上に設けられる枠体１２とを備える。
底板１８は、例えばアンカーボルトによって床２０に固定されている。該底板１８には、金庫２１が図１の仮想線に示されるように配置される。
【００１０】
図２（ａ）は金庫２１の要部を示す正面図であり、同図２（ｂ）は、その側面図である。
金庫２１は、本体２２の底面の各角部に設けられる四つの脚部２３を備えている。脚部２３は、図２に示されているように、本体２２を運ぶためのキャスター２４と、該キャスター２４の軸２５を支持するための板材２６とを有する。
板材２６はＬ字状の横断面を有している。該板材２６には、金庫２１を枠体１２に固定するための孔２７及び２８がそれぞれ設けられている。孔２７は金庫２１の正面或いは背面に位置し、孔２８は金庫２１のいずれかの側面に位置している。
金庫２１が底板１８に配置される状態では、四つの脚部２３は、図１に示されているように、それぞれ、枠体１２の四つの角に位置する。
【００１１】
枠体１２は、収容凹部１５を形成する壁１１に沿って設けられる両側枠材１４、１４及び後枠材１６を備える。これら両側枠材１４，１４及び後枠材１６は、一体的に形成され、底板１８に予め溶接されている。
また、枠体１２は、収容凹部１５の開放側、即ち、金庫の正面側に位置する前枠材１７を備える。この前枠材１７は、後述するように、金庫を収容凹部１５に固定した後、底板１８と両側枠材１４，１４とに溶接される。
【００１２】
側枠材１４には、二つの凹所２９が設けられている。凹所２９は、孔２８の位置に対応しており、孔２８へ向かって開口している。
また、前枠材１７及び後枠材１６には、それぞれ、二つの突起３０が設けられている。突起３０は、孔２７の位置に対応しており、貫挿突起として孔２７へ向かって突出している。
【００１３】
また、金庫用固定装置１０は、移動手段としてのジャッキ機構３１を備える。該ジャッキ機構３１はネジ棒３３を有している。
ネジ棒３３は、図１に示されているように、正面側から枠体１２の後枠材１６へ伸長するように、底板１８上の保持部３６及び３７によって回転可能に保持されている。これにより、ネジ棒３３が位置決めされる。
【００１４】
ネジ棒３３の一端３３ａは、断面四角形の先端部３３ｃを有している。該先端部３３ｃには、操作部３９が着脱可能に嵌合している。従って、操作部３９を回転させると、ネジ棒３３が回転する。
また、この一端３３ａには、一対のリンク部材３４，３４の各一端が枢支されている。これらの各他端は、図１に示されているように、軸４４を介して連結部材４０と揺動可能に連結されている。
【００１５】
ネジ棒３３の他端３３ｂには、螺合部３８が設けられている。該螺合部３８には、他の一対のリンク部材３５，３５の各一端が枢支されている。これらの各他端は、図１に示されているように、軸４５を介して連結部材４０と揺動可能に連結されている。
【００１６】
連結部材４０には、ブロック４１が固定的に取り付けられている。該ブロック４１は、ジャッキ機構３１の構成部材として、底板１８に予め設けられる一対のガイド部４６，４６間に移動可能に位置している。
ブロック４１には、移動部としての押圧部４３が固定的に設けられている。該押圧部４３は、脚部２３の板材２６を側枠材１４へ押圧するために用いられ、側枠材１４と対向している。
押圧部４３の両端には、それぞれ、突起４８が設けられている。この突起４８は、脚部２３の孔２８を貫挿する。
また、押圧部４３には、ダミー板４７が設けられている。該ダミー板４７は、突起４８による板材２６の固定位置に対して外部からの特定を防止する。
【００１７】
上記したように構成される金庫用固定装置１０において、ネジ棒３３を回転させると、リンク部材３４及び３５によって、一対の押圧部４３，４３は接近或いは離間する。これらが接近した状態で、金庫２１は収容凹部１５の開放側、即ち正面側から枠体１２内に押し込まれて底板１８上に配置される。
金庫２１が底板１８上に配置されると、金庫２１の背面の下方に位置する各脚部２３の孔２７に、後枠材１６に設けられている突起３０が貫挿する。また、金庫２１の側面の下方に位置する各脚部２３の孔２８は、側枠材１４に設けられている凹所２９と対向している。
【００１８】
そして、作業正面側で例えば鉤を有する回転工具を利用して、その鉤を操作部３９の孔に引っ掛けって作動させると、ネジ棒３３が回転するので、螺合部３８はネジ棒３３上で先端部３３ｃへ向かって移動する。
螺合部３８がこのように移動すると、リンク部材３４及び３５は、この移動に連動して、一対の押圧部４３，４３を互いに離間させる。即ち、押圧部４３は、側枠材１４へ移動する。
このとき、ブロック４１の移動方向が一対のガイド部４６に規制されるので、押圧部４３は側枠材１４に対し平行状態を保持しながら該側枠材１４へ接近する。
【００１９】
押圧部４３が側枠材１４へ接近すると、該押圧部４３に設けられている突起４８は、脚部２３の孔２８を貫挿しながら側枠材１４の凹所２９へ入り込む。
押圧部４３が更に移動されると、突起４８は凹所２９に嵌合すると共に、押圧部４３は脚部２３の板材２６を側枠材１４へ押圧する。即ち、脚部２３は側枠材１４に固定されると共に、脚部２３の板材２６は押圧部４３と側枠材１４とに挟持される。これにより、脚部２３は側枠材１４に確実に固定される。
その後、操作部３９をネジ棒３３の先端部３３ｃから取り外すことによって、第三者によるネジ棒の逆回転を阻止することができる。
【００２０】
次に、前枠材１７上の突起３０を脚部２３の孔２７に貫挿させて、前枠材１７を位置決めする。そして、この前枠材１７を両側枠材１４，１４及び底板１８に溶接する。これにより、金庫２１の全ての脚部２３は、枠体１２によって覆い隠される。
【００２１】
本実施例の金庫用固定装置１０において、金庫２１の四つの脚部２３が側枠材１４と押圧部４３とによって挟持されるので、金庫２１を枠体１２に更に確実に固定し、金庫２１の取り外しをより一層困難にすることができる。
【００２２】
尚、本実施例では、移動手段として、ジャッキ機構３１を示されているが、これに代えて、例えば油圧シリンダ装置を用いてもよい。
この場合、一方の押圧部４３にシリンダ本体を固定し、他方の押圧部４３にロードを連結し、そして、例えば金庫２１の背面側の壁１１を通した圧送管をシリンダ本体に連結する。
【００２３】
【発明の効果】
本発明に係る金庫用固定装置では、金庫の正面側から金庫の下方の移動手段を動作させるだけで、金庫の各脚部を確実に側枠材に固定することができる。これにより、金庫を狭い場所に配置しても簡便な作業で確実に固定することができる。
また、移動部及び移動手段などが両側枠材間に設けられているので、外観上固定方式が知られることがなく、第三者による金庫の取り外しを困難にすることが可能である。これにより、金庫の盗み出しを防止できる。
【図面の簡単な説明】
【図１】本発明に係る金庫用固定装置を示す平面図である。
【図２】金庫の要部を示す正面図及び側面図である。
【符号の説明】
１０  金庫用固定装置
１２  枠体
１４  側枠材
２０  床
２１  金庫
２３  脚部
２８  孔
２９  凹所
３１  ジャッキ機構（移動手段）
４３  押圧部（移動部）
４８  突起
【図１】
0004126483.tif 000002
【図２】
0004126483.tif 000003